(57)【特許請求の範囲】
【請求項１】
車両の車輪の角加速度(dω/dt)を取得する角加速度取得手段(４１**,５０５,５１０,８０５,８１０)と、
前記車輪に接続された車軸に発生するトルクであるホイールトルク(T)に対応する値をホイールトルク対応値(T，Pw)として取得するホイールトルク取得手段(４２**，４４**)と、
を備えた車両の運動制御装置に適用され、
前記取得された車輪の角加速度(dω/dt)と、前記取得されたホイールトルク対応値(T，Pw)と、前記車輪の慣性モーメントに係わる定数(Ic,Ic/Kc)とに基づいて、前記車輪のタイヤが路面から受ける同タイヤの回転方向の力であるタイヤ前後力(Fx)に対応する値をタイヤ前後力対応値(Tfxc,Pwfxc)として推定するタイヤ前後力推定手段(５１、図５、図６、図８、図９のルーチン)を備えたタイヤ前後力推定装置において、
前記タイヤ前後力推定手段(５１、図５、図６、図８、図９のルーチン)は、
前記取得された車輪の角加速度(dω/dt)がゼロ以外からゼロになった時点において前記タイヤ前後力の時間微分値(dFx/dt)がゼロになるという関係を利用して前記タイヤ前後力対応値(Tfxc,Pwfxc)を補正するタイヤ前後力補正手段（５１、５５０、図６、８５０、図９のルーチン）を備えたタイヤ前後力推定装置。
【請求項２】
請求項１に記載のタイヤ前後力推定装置において、
前記タイヤ前後力補正手段（５１、５５０、図６、８５０、図９のルーチン）は、
前記ホイールトルク対応値(T,Pw)の時間微分値(dT/dt,dPw/dt)を取得するホイールトルク時間微分値取得手段(５１，５１５，８１５)と、
前記タイヤ前後力対応値(Tfxc,Pwfxc)の時間微分値(dTfxc/dt,dPwfxc/dt)を取得するタイヤ前後力時間微分値取得手段(５１，５３０，８３０)と、
を備え、
前記タイヤ前後力補正手段（５１、５５０、図６、８５０、図９のルーチン）は、
前記取得された車輪の角加速度(dω/dt)がゼロ以外からゼロになった時点における前記ホイールトルク対応値の時間微分値(m)と、前記取得された車輪の角加速度(dω/dt)がゼロ以外からゼロになった時点における前記タイヤ前後力対応値の時間微分値(n)とに基づいて前記慣性モーメントに係わる定数(Ic,Ic/Kc)を補正することで前記タイヤ前後力対応値(Tfxc,Pwfxc)を補正する(５５０，８５０)ように構成されたタイヤ前後力推定装置。
【請求項３】
請求項１又は請求項２に記載のタイヤ前後力推定装置において、
前記ホイールトルク取得手段(４２**)は、前記ホイールトルク対応値(T，Pw)として前記ホイールトルクそのもの(T)を取得し、
前記タイヤ前後力推定手段(５１、図５、図６のルーチン)は、前記タイヤ前後力対応値(Tfxc)として、前記タイヤ前後力(Fx)に前記タイヤの半径(R)を乗じて得られるタイヤ前後力相当トルク(Tfxc＝Fx・R)の推定値を演算するように構成されたタイヤ前後力推定装置。
【請求項４】
請求項１又は請求項２に記載のタイヤ前後力推定装置において、
前記ホイールトルク取得手段(４４**)は、前記ホイールトルク対応値(T，Pw)として前記車輪に対応するホイールシリンダ(W**)内の制動液圧(Pw)を取得し、
前記タイヤ前後力推定手段(５１、図８、図９のルーチン)は、前記タイヤ前後力対応値(Pwfxc)として、前記タイヤ前後力(Fx)に前記タイヤの半径(R)を乗じた値を制動液圧を制動トルクに変換するための比例係数(Kc)で除して得られるタイヤ前後力相当液圧(Pwfxc＝(Fx・R)/Kc)の推定値を演算するように構成されたタイヤ前後力推定装置。
【請求項５】
請求項１乃至請求項４の何れか一項に記載のタイヤ前後力推定装置において、
前記角加速度取得手段(４１**,５０５,５１０,８０５,８１０)は、
前記車輪の角速度(ω)を取得する角速度取得手段(４１**，５０５,８０５)を備え、
前記取得された車輪の角速度(ω)を時間微分して前記車輪の角加速度(dω/dt)を取得する(５１０，８１０)ように構成されたタイヤ前後力推定装置。
【請求項６】
車両の車輪の角加速度(dω/dt)を取得する角加速度取得手段(４１**,５０５,５１０,８０５,８１０)と、
前記車輪に接続された車軸に発生するトルクであるホイールトルク(T)に対応する値をホイールトルク対応値(T，Pw)として取得するホイールトルク取得手段(４２**，４４**)と、
を備えた車両の運動制御装置に適用され、
前記取得された車輪の角加速度(dω/dt)と、前記取得されたホイールトルク対応値(T，Pw)と、前記車輪の慣性モーメントに係わる定数(Ic,Ic/Kc)とに基づいて、前記車輪のタイヤが路面から受ける同タイヤの回転方向の力であるタイヤ前後力(Fx)に対応する値をタイヤ前後力対応値(Tfxc,Pwfxc)として推定するタイヤ前後力推定ステップ(図５、図６、図８、図９のルーチン)を備えたタイヤ前後力推定用のプログラムにおいて、
前記タイヤ前後力推定ステップ(図５、図６、図８、図９のルーチン)は、
前記取得された車輪の角加速度(dω/dt)がゼロ以外からゼロになった時点において前記タイヤ前後力の時間微分値(dFx/dt)がゼロになるという関係を利用して前記タイヤ前後力対応値(Tfxc,Pwfxc)を補正するタイヤ前後力補正ステップ（５５０、図６、８５０、図９のルーチン）を備えたタイヤ前後力推定用のプログラム。
【発明の詳細な説明】
【技術分野】
【０００１】
本発明は、車輪の制動力、及び／又は駆動力を制御して車両の運動を制御する（車両の挙動を安定化させる）車両の運動制御装置に適用されるタイヤ前後力推定装置に関する。
【背景技術】
【０００２】
従来より、アンチスキッド制御システム、トラクション制御システム、車両挙動制御システム等、車輪の制動力、及び／又は駆動力を制御して車両の運動を制御する車両の運動制御装置が広く知られている。係る制御では、タイヤが路面から受ける同タイヤの回転方向の力（本出願では、「タイヤ前後力」と称呼する。）が利用され得る。従って、係る制御を精度良く達成するためには、タイヤ前後力を精度良く取得する必要がある。
【０００３】
タイヤ前後力を取得する手法の一つとして、タイヤに対応する車軸に装着された歪ゲージ等のセンサによりタイヤ前後力を物理的に直接検出する手法が広く知られている（例えば、下記特許文献１を参照）。しかしながら、このようなタイヤ前後力を直接検出するセンサは一般に高価であり、装置の製造コストが高くなるという問題がある。
【０００４】
以上より、タイヤ前後力を直接検出するセンサを用いることなくタイヤ前後力を推定する要求がある。この要求に対処するため、例えば、下記特許文献２では、車輪の角加速度と、車輪に接続された車軸に発生するトルク（本出願では、「ホイールトルク」と称呼する。）と、車輪の慣性モーメントと、車輪の回転運動方程式とを利用してタイヤ前後力を計算により推定する技術が開示されている。
【０００５】
ここで、上記タイヤ前後力の計算に使用される車輪の角加速度は、例えば、周知の車輪の角速度センサにより得られる車輪の角速度を時間微分すること等により精度良く逐次取得され得る。また、上記タイヤ前後力の計算に使用されるホイールトルクも、例えば、車軸のトルクを直接検出するセンサを用いること、或いはホイールシリンダ内の制動液圧に所定の比例係数を乗じること等により精度良く逐次取得され得る。
【０００６】
一方、上記タイヤ前後力の計算に使用される車輪の慣性モーメントは、予め入力された値（設計値、固定値）が使用される。しかしながら、車輪の慣性モーメントの実際値は、タイヤ交換に伴うタイヤサイズの変更、タイヤの磨耗、ホイールの変更等により変化し得る。
【０００７】
従って、上記タイヤ前後力の計算に使用される車輪の慣性モーメント（に係わる定数）が対応する実際値と一致しなくなる場合が発生し得る。この結果、タイヤ前後力が精度良く推定されない場合が発生し得るという問題がある。
【特許文献１】特開平３−２２００５６号公報
【特許文献２】特開昭６３−２５１６９号公報
【発明の開示】
【０００８】
従って、本発明の目的は、タイヤ前後力を直接検出するセンサを用いることなく、タイヤ前後力の計算に使用される車輪の慣性モーメントに係わる定数に対応する実際値が変化した場合であってもタイヤ前後力を精度良く推定できるタイヤ前後力推定装置を提供することにある。
【０００９】
本発明に係るタイヤ前後力推定装置は、車両の車輪の角加速度を取得する角加速度取得手段と、前記ホイールトルクに対応する値をホイールトルク対応値として取得するホイールトルク取得手段とを備えた車両の運動制御装置に適用される。
【００１０】
ここで、前記角加速度は、例えば、周知の車輪の角速度センサにより得られる車輪の角速度を時間微分すること等により取得され得る。前記ホイールトルク対応値としては、例えば、ホイールトルクそのもの、ホイールシリンダ内の制動液圧等が挙げられる。ホイールトルクは、例えば、周知のトルクセンサにより車軸のトルクを検出すること、或いは周知の圧力センサにより検出されたホイールシリンダ内の制動液圧に所定の比例係数を乗じること等により取得され得る。また、ホイールシリンダ内の制動液圧は、周知の圧力センサにより検出すること等により取得され得る。
【００１１】
本発明に係るタイヤ前後力推定装置は、前記取得された車輪の角加速度と、前記取得されたホイールトルク対応値と、前記車輪の慣性モーメントに係わる定数とに基づいて、前記タイヤ前後力に対応する値をタイヤ前後力対応値として推定するタイヤ前後力推定手段を備えている。
【００１２】
具体的には、前記タイヤ前後力推定手段は、前記取得された車輪の角加速度と、前記取得されたホイールトルク対応値と、前記車輪の慣性モーメントに係わる定数と、を車輪の回転運動方程式に適用することで前記タイヤ前後力対応値を推定するように構成される。
【００１３】
ここで、「前記ホイールトルク対応値、及び前記タイヤ前後力対応値」の組み合わせとしては、例えば、「前記ホイールトルクそのもの、及び前記タイヤ前後力に前記タイヤの半径を乗じて得られるタイヤ前後力相当トルク」が使用され、或いは、「前記車輪に対応するホイールシリンダ内の制動液圧、及び前記タイヤ前後力に前記タイヤの半径を乗じた値（即ち、上記タイヤ前後力相当トルク）を制動液圧を制動トルクに変換するための比例係数で除して得られるタイヤ前後力相当液圧」が使用される。
【００１４】
本発明に係るタイヤ前後力推定装置の特徴は、前記タイヤ前後力推定手段が、「前記取得された車輪の角加速度がゼロ以外からゼロになった時点において前記タイヤ前後力の時間微分値がゼロになる」という関係（以下、「角加速度−タイヤ前後力間の特定関係」と称呼する。）を利用して前記タイヤ前後力対応値を補正するタイヤ前後力補正手段を備えたことにある。以下、車輪の角加速度がゼロ以外からゼロになった時点を、「角加速度ゼロ時点」と称呼することもある。
【００１５】
本発明者は、上記「角加速度−タイヤ前後力間の特定関係」を利用することで、タイヤサイズの変更等によりタイヤ前後力の計算に使用される「車輪の慣性モーメントに係わる定数」に対応する実際値が変化した場合であっても、その「車輪の慣性モーメントに係わる定数」を同対応する実際値と一致するように補正できることを見出した。この結果、「車輪の慣性モーメントに係わる定数」に対応する実際値が変化してもタイヤ前後力を精度良く推定できる。
【００１６】
より具体的には、前記タイヤ前後力補正手段は、前記ホイールトルク対応値の時間微分値を取得するホイールトルク時間微分値取得手段と、前記タイヤ前後力対応値の時間微分値を取得するタイヤ前後力時間微分値取得手段とを備え、前記角加速度ゼロ時点における前記ホイールトルク対応値の時間微分値と、前記角加速度ゼロ時点における前記タイヤ前後力対応値の時間微分値と、上記「角加速度−タイヤ前後力間の特定関係」とに基づいて前記慣性モーメントに係わる定数を補正することで前記タイヤ前後力対応値を補正するように構成される。係る構成、並びに、上記「角加速度−タイヤ前後力間の特定関係」については、後に「実施形態」の欄にて詳述する。
【００１７】
これによれば、「車輪の慣性モーメントに係わる定数」に対応する実際値が変化した場合であっても、例えば、その「車輪の慣性モーメントに係わる定数」を同対応する実際値と一致するように補正するための補正値（例えば、補正係数等）を取得することができる。従って、係る補正値を用いて補正した後の「車輪の慣性モーメントに係わる定数」を上記車輪の回転運動方程式に適用することで、「車輪の慣性モーメントに係わる定数」に対応する実際値が変化してもタイヤ前後力を精度良く推定していくことができる。
【発明を実施するための最良の形態】
【００１８】
以下、本発明によるタイヤ前後力推定装置を含んだ車両の運動制御装置の各実施形態について図面を参照しつつ説明する。図１は、本発明の第１実施形態に係る運動制御装置１０を搭載した車両の概略構成を示している。
【００１９】
（第１実施形態）
この運動制御装置１０は、各車輪に制動液圧によるブレーキトルク（ホイールトルク）を発生させるためのブレーキ液圧制御装置３０と、各種センサから構成されるセンサ部４０と、電子制御装置５０とを含んで構成されている。
【００２０】
ブレーキ液圧制御装置３０は、モータ、モータにより駆動される液圧ポンプ、及び複数の電磁弁等からなる周知のハイドロリックユニットを含んで構成されている。ブレーキ液圧制御装置３０は、通常、ブレーキペダルＢＰの操作力に応じた制動液圧を車輪**のホイールシリンダW**に供給するようになっている。一方、電子制御装置５０からの指示により上記モータ（従って、上記液圧ポンプ）、及び上記複数の電磁弁等が駆動されることで、ブレーキ液圧制御装置３０は、ブレーキペダルＢＰの操作力とは無関係に、且つ車輪毎に別個独立してホイールシリンダ内の制動液圧（ホイールシリンダ液圧）を自由に調整できるようになっている。
【００２１】
なお、上記「**」は、車輪を識別するための「fl」，「fr」等の包括表記であって、例えば、上記「ホイールシリンダW**」は、左前輪のホイールシリンダWfl,
右前輪のホイールシリンダWfr, 左後輪のホイールシリンダWrl, 右後輪の車輪速度Wrrを包括的に示している。以下、他の各種変数・フラグ・符号等の末尾に付された「**」についても同様である。
【００２２】
再び図１を参照すると、センサ部４０は、車輪**の角速度に応じた周波数を有する信号をそれぞれ出力する電磁ピックアップ式の車輪角速度センサ４１**と、車輪**に接続された車軸**の内部の所定位置に埋設されていて車軸**に発生するトルクをホイールトルクとしてそれぞれ検出しホイールトルクT**（ホイールトルク対応値）を示す信号をそれぞれ出力するホイールトルクセンサ４２**と、運転者によるブレーキペダルＢＰの踏力を検出しブレーキペダル踏力Fpを示す信号を出力する踏力センサ４３と、車輪**のホイールシリンダW**内の制動液圧をそれぞれ検出しホイールシリンダ液圧Pw**を示す信号をそれぞれ出力するホイールシリンダ液圧センサ４４**とから構成されている。
【００２３】
電子制御装置５０は、互いにバスで接続されたＣＰＵ５１、ＣＰＵ５１が実行するルーチン（プログラム）、テーブル（ルックアップテーブル、マップ）、定数等を予め記憶したＲＯＭ５２、ＣＰＵ５１が必要に応じてデータを一時的に格納するＲＡＭ５３、電源が投入された状態でデータを格納するとともに同格納したデータを電源が遮断されている間も保持するバックアップＲＡＭ５４、及びＡＤコンバータを含むインターフェース５５等からなるマイクロコンピュータである。インターフェース５５は、前記センサ４１〜４４、及び図示しない他の複数のセンサ（ヨーレイトセンサ等）と接続され、センサ４１〜４４、及び図示しない他の複数のセンサからの信号をＣＰＵ５１に供給するとともに、同ＣＰＵ５１の指示に応じてブレーキ液圧制御装置３０の上記複数の電磁弁及び上記モータに駆動信号を送出するようになっている。
【００２４】
これにより、ＣＰＵ５１は、前記センサ４１〜４４、及び図示しない他の複数のセンサからの信号に加えて、後述するように車輪毎に個別に推定されるタイヤ前後力相当トルク推定値Tfxc**（タイヤ前後力対応値）にも基づいて、周知の、アンチスキッド制御、トラクション制御、車両挙動制御、自動車間距離制御、自動ブレーキ制御等の各種制御を達成できるようになっている。係る制御については周知であるのでこれらの詳細な説明を省略する。
【００２５】
（タイヤ前後力相当トルク推定値Tfxcの取得・補正方法の概要）
次に、上述のように構成された本発明によるタイヤ前後力推定装置を含んだ車両の運動制御装置（以下、「本装置」と称呼する。）によるタイヤ前後力相当トルク推定値Tfxc（タイヤ前後力対応値）の取得・補正方法の概要について説明する。ここで、タイヤ前後力相当トルク推定値Tfxcとは、タイヤ前後力Fxにタイヤの半径Rを乗じて得られるタイヤ前後力Fxに相当するトルク（＝Fx・R、タイヤ前後力相当トルクTfx）の推定値である。
【００２６】
先ず、図２を参照しながら、制動中の或る車輪（タイヤ＋ホイール）に働くトルクについて説明する。図２は、半径Rのタイヤを備えた車輪が反時計回りに角速度ωで回転しながら紙面左方向に進行している場合において車輪にホイールシリンダ液圧によるブレーキトルクを働かせたときの同車輪に働くトルク（及び力）を示した図である。ここにおいて、車輪の車輪速度はR・ωとなる。この車輪速度は車輪のスリップ率が「０」のとき車輪の進行速度と等しくなる。
【００２７】
図２に示したように、この場合、車輪には、同車輪を減速させる方向（時計回り）に働くブレーキトルク（従って、ホイールトルクT）と、ホイールトルクTに応じて発生する紙面右方向に働くタイヤ前後力Fxに基づく同車輪を加速させる方向（反時計回り）に働くトルクFx・R（即ち、上記タイヤ前後力相当トルクTfx）とが作用する。従って、この車輪の回転運動方程式は、下記(1)式にて表すことができる。
【００２８】
I・dω/dt＝Tfx−T  ・・・(1)
【００２９】
(1)式において、dω/dtは車輪の角加速度であり、車輪角速度センサ４１から得られる車輪の角速度ωを時間微分することで精度良く逐次取得できる。ホイールトルクTは、ホイールトルクセンサ４２により精度良く逐次取得できる。Iは車輪（タイヤ＋ホイール）の慣性モーメントである。慣性モーメントIとしては、実際に使用される車輪の諸元等から既知である値Ic（設計値、固定値、以下、「慣性モーメント計算値Ic」と称呼する。）が使用される。
【００３０】
以上より、上記(1)式においてIをIcに置き換えTfxをTfxcに置き換えた式をTfxcについて解いた下記(2)式に従って、タイヤ前後力相当トルク推定値Tfxcを逐次取得していくことができる。
【００３１】
Tfxc＝T＋Ic・dω/dt  ・・・(2)
【００３２】
ところで、慣性モーメントの実際値（以下、「慣性モーメント実際値I」と称呼する。）は、タイヤ交換に伴うタイヤサイズの変更、タイヤの磨耗、ホイールの変更等により変化し得る。従って、タイヤ前後力相当トルク推定値Tfxcの計算に使用される上記慣性モーメント計算値Icが慣性モーメント実際値Iと一致しなくなる場合が発生し得、この結果、タイヤ前後力相当トルク推定値Tfxcが精度良く推定されない場合が発生し得るという問題がある。
【００３３】
そこで、本装置は、以下のように、慣性モーメント計算値Icを慣性モーメント実際値Iと一致するように補正するための補正係数αを計算する。以下、この補正係数αの計算方法について図３を参照しながら説明する。
【００３４】
図３は、時刻ｔ１以前から運転者がブレーキペダルＢＰの操作力を増大していくことにより時刻ｔ１以降にてアンチスキッド制御が開始・実行されている場合における、或る車輪についての、ホイールトルクT（＝ブレーキトルク）、上記(2)式に従って計算されるタイヤ前後力相当トルク推定値Tfxc、タイヤ前後力相当トルクの実際値（以下、「タイヤ前後力相当トルク実際値Tfx」と称呼する。）、角速度ω、スリップ率S、角加速度dω/dtの変化の一例を示したタイムチャートである。
【００３５】
ここで、スリップ率Sは、車両の車体速度をタイヤの半径Rで除した値を車体速度相当角速度ωsoと呼ぶものとすると、下記(3)式にて表される値である。
【００３６】
S＝(ωso−ω)/ωso  ・・・(3)
【００３７】
また、図３に示した例では、慣性モーメント計算値Icが慣性モーメント実際値Iからずれていて、この結果、タイヤ前後力相当トルク推定値Tfxcがタイヤ前後力相当トルク実際値Tfxからずれた値に計算されている場合が示されている。なお、図３において、Fxはタイヤ前後力相当トルク実際値Tfxをタイヤの半径Rで除した値（タイヤ前後力実際値）であり、Fxcはタイヤ前後力相当トルク推定値Tfxcをタイヤの半径Rで除した値（タイヤ前後力推定値）である。
【００３８】
図３に示すように、この例では、車輪の角速度ωは、アンチスキッド制御が開始された時刻ｔ１以降も時刻ｔ２まで減少し、時刻ｔ２以降にて増大している。これに伴い、スリップ率Sは、時刻ｔ２まで増大し、時刻ｔ２以降にて減少している。換言すれば、時刻ｔ２は、ロック傾向にあった車輪が復帰傾向に転じる時刻である。また、車輪の角加速度dω/dtは、時刻ｔ１以前から時刻ｔ２まで負の値に維持され、時刻ｔ２にて「０」となり、時刻ｔ２以降にて正の値となっている。即ち、時刻ｔ２は、上述した「角加速度ゼロ時点」に相当している。
【００３９】
なお、時刻ｔ２では、車輪の角加速度dω/dt＝０となっているから、上記(1)式、(2)から容易に理解できるように、時刻ｔ２において、タイヤ前後力相当トルク推定値Tfxc、タイヤ前後力相当トルク実際値Tfx、及びホイールトルクTは一致する（点Ａを参照）。
【００４０】
ところで、タイヤ前後力実際値Fxは、路面摩擦係数にタイヤに作用する垂直荷重を乗じた値に等しい。従って、タイヤに作用する垂直荷重を一定と仮定すると、タイヤ前後力実際値Fxは、路面摩擦係数に応じて変化する。他方、図４に示すように、路面摩擦係数は、一般に、スリップ率Sが「０」から或る値S1までの間はスリップ率Sの増大に応じて増大し、スリップ率Sが値S1を超えると、スリップ率Sの増大に応じて減少する。加えて、時刻ｔ２におけるスリップ率Sは上記値S1よりも大きい。
【００４１】
以上のことから、時刻ｔ２は、減少していたタイヤ前後力実際値Fxが増加に転じる時刻となる。即ち、時刻ｔ２は、減少していたタイヤ前後力相当トルク実際値Tfx(＝Fx・R)が増加に転じる時刻となる。このことは、「角加速度ゼロ時点(dω/dt＝０)となる時刻ｔ２においてタイヤ前後力相当トルク実際値Tfxの時間微分値が「０」となる」という関係（即ち、上記角加速度−タイヤ前後力間の特定関係）が成立することを意味する。換言すれば、タイヤ前後力相当トルク実際値Tfxの時刻ｔ２における傾きは「０」となる（図３を参照）。
【００４２】
従って、上記(1)式の両辺を時間微分して得られる下記(4)式は、時刻ｔ２において、タイヤ前後力相当トルク実際値Tfxの時間微分値dTfx/dt＝０と置くことで下記(5)にて表すことができる。(5)式において、(d2ω/dt2)t=t2は時刻ｔ２における角加速度dω/dtの時間微分値である。また、(dT/dt)t=t2は時刻ｔ２におけるホイールトルクTの時間微分値である。この時刻ｔ２におけるホイールトルクTの時間微分値(dT/dt)t=t2を値ｍとおくと、下記(6)式が得られる。なお、この値ｍは、ホイールトルクTの時刻ｔ２における傾きに対応する値である（図３を参照）。
【００４３】
I・d2ω/dt2＝dTfx/dt−dT/dt  ・・・(4)
I・(d2ω/dt2)t=t2＝−(dT/dt)t=t2  ・・・(5)
I・(d2ω/dt2)t=t2＝−(dT/dt)t=t2＝−ｍ  ・・・(6)
【００４４】
一方、上記(2)式の両辺を時間微分すると下記(7)式が得られるから、時刻ｔ２において、下記(8)式が得られる。(8)式において、(dTfxc/dt)t=t2は時刻ｔ２におけるタイヤ前後力相当トルク推定値Tfxcの時間微分値である。この時刻ｔ２におけるタイヤ前後力相当トルク推定値Tfxcの時間微分値(dTfxc/dt)t=t2を値ｎとおくと、下記(9)式が得られる。なお、この値ｎは、タイヤ前後力相当トルク推定値Tfxcの時刻ｔ２における傾きに対応する値である（図３を参照）。
【００４５】
dTfxc/dt＝dT/dt＋Ic・d2ω/dt2  ・・・(7)
(dTfxc/dt)t=t2＝(dT/dt)t=t2＋Ic・(d2ω/dt2)
t=t2  ・・・(8)
(dTfxc/dt)t=t2＝(dT/dt)t=t2＋Ic・(d2ω/dt2)
t=t2＝ｎ  ・・・(9)
【００４６】
ここで、上記(6)式の関係を上記(9)式に代入して(d2ω/dt2)t=t2と(dT/dt)t=t2とを消去するとともに、補正係数α＝I/Icと定義すると、下記(10)式が得られる。この補正係数αを慣性モーメント計算値Icに乗じることで、慣性モーメント計算値Icそのものを慣性モーメント実際値Iと一致するように補正することができる。
【００４７】
α＝I/Ic＝ｍ/(ｍ−ｎ)  ・・・(10)
【００４８】
以上のことから、本装置は、車輪角速度センサ４１、及びホイールトルクセンサ４２の出力を利用しながら、角加速度ゼロ時点(角加速度dω/dtがゼロ以外からゼロになる時点)が到来するまでの間は、上記(2)式に従ってタイヤ前後力相当トルク推定値Tfxcを計算する一方、角加速度ゼロ時点が到来した時点以降、上記(2)式においてIcをα・Icに置き換えた式である下記(11)式に従ってタイヤ前後力相当トルク推定値Tfxcを計算する。
【００４９】
Tfxc＝T＋α・Ic・dω/dt  ・・・(11)
【００５０】
このように、本装置は、上記「角加速度−タイヤ前後力間の特定関係」を利用して、上記角加速度ゼロ時点におけるホイールトルクTの時間微分値ｍと、角加速度ゼロ時点におけるタイヤ前後力相当トルク推定値Tfxcの時間微分値ｎとに基づいて（従って、補正係数αに基づいて）慣性モーメント計算値Icを補正することでタイヤ前後力相当トルク推定値Tfxcを補正する。なお、上述した例では、アンチスキッド制御中において上記「角加速度−タイヤ前後力間の特定関係」が成立することを利用して補正係数αが設定されているが、トラクション制御中であっても上記「角加速度−タイヤ前後力間の特定関係」が成立する。従って、トラクション制御中であっても上記と同様に補正係数αを設定することができる。以上が、本装置によるタイヤ前後力相当トルク推定値Tfxcの取得・補正方法の概要である。
【００５１】
（実際の作動）
次に、以上のように構成された本装置の実際の作動について、電子制御装置５０のＣＰＵ５１が実行するルーチンをフローチャートにより示した図５〜図６を参照しながら説明する。なお、これらのルーチン内にて使用されるフラグＳＥＴ**は、その値が「０」のとき車輪**について「角加速度ゼロ時点」が未だ到来していない状態を示し、その値が「１」のとき車輪**について「角加速度ゼロ時点」が既に到来した状態を示す。いま、車輪**について「角加速度ゼロ時点」が未だ到来しておらず、従って、フラグＳＥＴ**＝０となっているものとして説明を続ける。
【００５２】
ＣＰＵ５１は、図５に示したタイヤ前後力相当トルクの推定を行うルーチンを所定時間Δt（例えば、６msec）の経過毎に、車輪毎に、繰り返し実行している。従って、所定のタイミングになると、ＣＰＵ５１はステップ５００から処理を開始し、ステップ５０５に進んで車輪**の角速度ω**を算出する。具体的には、ＣＰＵ５１は、車輪角速度センサ４１**が出力する信号の周波数に基づいて車輪**の角速度ω**を算出する。
【００５３】
次いで、ＣＰＵ５１はステップ５１０に進み、上記算出した角速度ω**と、角速度ω**の前回値ωb**と、ステップ５１０内に記載の式とに基づいて車輪**の角加速度dω**/dtを求める。ここで、角速度ω**の前回値ωb**としては、前回の本ルーチン実行時において後述するステップ５３５にて更新されている値が使用される。
【００５４】
続いて、ＣＰＵ５１はステップ５１５に進んで、ホイールトルクセンサ４２**により検出される現時点でのホイールトルクT**と、ホイールトルクT**の前回値Tb**と、ステップ５１５内に記載の式とに基づいて車輪**のホイールトルクT**の時間微分値dT**/dtを求める。ここで、ホイールトルクT**の前回値Tb**としては、前回の本ルーチン実行時において後述するステップ５４０にて更新されている値が使用される。
【００５５】
次に、ＣＰＵ５１はステップ５２０に進み、フラグＳＥＴ**＝０であるか否かを判定する。現時点では、上記仮定によりフラグＳＥＴ**＝０となっている。従って、ＣＰＵ５１はステップ５２０にて「Ｙｅｓ」と判定してステップ５２５に進んで、ホイールトルクセンサ４２**により検出される現時点でのホイールトルクT**と、先のステップ５１０にて求めた角加速度dω**/dtと、上記(2)式に相当するステップ５２５内に記載の式とに基づいて車輪**についてのタイヤ前後力相当トルク推定値Tfxc**を求める。なお、Ic**は、車輪**についての上述した慣性モーメント計算値である。
【００５６】
次いで、ＣＰＵ５１はステップ５３０に進み、上記求めたタイヤ前後力相当トルク推定値Tfxc**と、タイヤ前後力相当トルク推定値Tfxc**の前回値Tfxcb**と、ステップ５３０内に記載の式とに基づいて車輪**のタイヤ前後力相当トルク推定値Tfxc**の時間微分値dTfxc**/dtを求める。ここで、タイヤ前後力相当トルク推定値Tfxc**の前回値Tfxcb**としては、前回の本ルーチン実行時において後述するステップ５４５にて更新されている値が使用される。
【００５７】
続いて、ＣＰＵ５１はステップ５３５に進み、角速度ω**の前回値ωb**を先のステップ５０５にて算出した角速度ω**の値に更新し、続くステップ５４０にてホイールトルクT**の前回値Tb**をホイールトルクセンサ４２**により検出される現時点でのホイールトルクT**の値に更新し、続くステップ５４５にてタイヤ前後力相当トルク推定値Tfxc**の前回値Tfxcb**を先のステップ５２５（或いは、後述するステップ５５０）にて計算されたタイヤ前後力相当トルク推定値Tfxc**に設定した後、ステップ５９５に進んで本ルーチンを一旦終了する。
【００５８】
以上の処理は、フラグＳＥＴ**の値が「０」に維持される限りにおいて繰り返し実行されていく。これにより、所定時間Δt毎に、上記(2)式に基づいてタイヤ前後力相当トルク推定値Tfxc**が計算・更新されていく。この値は、上述したアンチスキッド制御、トラクション制御等の各種制御に利用される。
【００５９】
また、ＣＰＵ５１は、図６に示した補正係数の決定・更新を行うルーチンをも所定時間Δt（例えば、６msec）の経過毎に、車輪毎に、繰り返し実行している。従って、所定のタイミングになると、ＣＰＵ５１はステップ６００から処理を開始し、ステップ６０５に進んで、先のステップ５１０にて求めた車輪**の角加速度dω**/dtの値が「０」以外（前回値）から「０」（今回値）に変化したか否か（即ち、「角加速度ゼロ時点」が到来したか否か）を判定し、「Ｎｏ」と判定する場合、ステップ６９５に直ちに進んで本ルーチンを一旦終了する。
【００６０】
いま、「角加速度ゼロ時点」が初めて到来したものとすると、ＣＰＵ５１はステップ６０５に進んだとき「Ｙｅｓ」と判定してステップ６１０に進み、値ｍを、先のステップ５１５にて求めているホイールトルクT**の時間微分値dT**/dt（即ち、「角加速度ゼロ時点」での値dT**/dt）に設定し、続くステップ６１５にて、値ｎを、先のステップ５３０にて求めているタイヤ前後力相当トルク推定値Tfxc**の時間微分値dTfxc**/dt（即ち、「角加速度ゼロ時点」での値dTfxc**/dt）に設定する。
【００６１】
続いて、ＣＰＵ５１はステップ６２０に進んで、フラグＳＥＴ**＝０であるか否かを判定する。現時点では、上述の仮定によりフラグＳＥＴ**＝０となっている。従って、ＣＰＵ５１はステップ６２０にて「Ｙｅｓ」と判定してステップ６２５に進み、フラグＳＥＴ**の値を「０」から「１」に変更する。
【００６２】
そして、ＣＰＵ５１はステップ６３０に進み、車輪**についての補正係数α**の値を、先のステップ６１０にて求めた値ｍと、先のステップ６１５にて求めた値ｎと、上記(10)式とに基づいて決定した後、ステップ６９５に進んで本ルーチンを一旦終了する。
【００６３】
これにより、以降、フラグＳＥＴ**＝１となっている。従って、図５のルーチンを所定時間Δt毎に繰り返し実行しているＣＰＵ５１は、ステップ５２０に進んだとき「Ｎｏ」と判定するようになり、ステップ５５０に進んで、ホイールトルクセンサ４２**により検出される現時点でのホイールトルクT**と、先のステップ５１０にて求めた角加速度dω**/dtと、先のステップ６３０にて決定されている補正係数α**と、上記(11)式に相当するステップ５５０内に記載の式とに基づいて車輪**についてのタイヤ前後力相当トルク推定値Tfxc**を求める。
【００６４】
これにより、慣性モーメント計算値Ic**が補正されることでタイヤ前後力相当トルク推定値Tfxc**が補正される。以後、係るステップ５５０により、タイヤ前後力相当トルク推定値Tfxc**が繰り返し計算・更新されていく。
【００６５】
加えて、図６のルーチンを所定時間Δt毎に繰り返し実行しているＣＰＵ５１は、その後も、ステップ６０５に進む毎に「角加速度ゼロ時点」が到来したか否かをモニタし続ける。そして、「角加速度ゼロ時点」が到来する毎に、ＣＰＵ５１はステップ６０５にて「Ｙｅｓ」と判定してステップ６１０以降に進み、ステップ６２０に進む。
【００６６】
現時点では、フラグＳＥＴ＝１となっている。従って、ＣＰＵ５１はステップ６２０にて「Ｎｏ」と判定するようになり、ステップ６３５に進んで、慣性モーメント計算値Ic**を、現時点まで使用されていた慣性モーメント計算値Ic**に現時点まで使用されていた補正係数α**を乗じた値（即ち、現時点までステップ５５０にて使用されていた、慣性モーメント計算値Ic**の補正後の値）に更新した後、ステップ６３０にて補正係数α**を更新する。
【００６７】
このように更新された慣性モーメント計算値Ic**、及び補正係数α**は、以降、ステップ５５０におけるタイヤ前後力相当トルク推定値Tfxc**の計算に使用されていく。このように、以降、「角加速度ゼロ時点」が到来する毎に、慣性モーメント計算値Ic**が補正されることでタイヤ前後力相当トルク推定値Tfxc**が補正されていく。
【００６８】
以上、説明したように、本発明によるタイヤ前後力推定装置の第１実施形態によれば、上記「角加速度−タイヤ前後力間の特定関係」を利用して、「角加速度ゼロ時点」が到来する毎に、「角加速度ゼロ時点」におけるホイールトルクTの時間微分値ｍと、「角加速度ゼロ時点」におけるタイヤ前後力相当トルク推定値Tfxcの時間微分値ｎとから求めた補正係数α（上記(10)式を参照）により慣性モーメント計算値Icを補正することでタイヤ前後力相当トルク推定値Tfxcを補正していく。
【００６９】
これにより、「角加速度ゼロ時点」が到来する毎に、慣性モーメント計算値Icそのものを慣性モーメント実際値Iと一致するように補正することができる。この結果、タイヤ交換に伴うタイヤサイズの変更等により慣性モーメント実際値Iが変化した場合であっても、タイヤ前後力を直接検出するセンサを用いることなく、タイヤ前後力Fxに相当するタイヤ前後力相当トルク推定値Tfxcを精度良く計算していくことができる。
【００７０】
（第２実施形態）
次に、本発明の第２実施形態に係るタイヤ前後力推定装置について説明する。この第２実施形態は、車輪角速度センサ４１及びホイールシリンダ液圧センサ４４の出力を利用しながらタイヤ前後力に対応する値としてのタイヤ前後力相当液圧推定値Pwfxcを推定していく点において、車輪角速度センサ４１及びホイールトルクセンサ４２の出力を利用しながらタイヤ前後力に対応する値としてのタイヤ前後力相当トルク推定値Tfxcを推定していく上記第１実施形態と異なる。
【００７１】
なお、タイヤ前後力相当液圧推定値Pwfxcとは、上記タイヤ前後力相当トルクTfxを「制動液圧（ホイールシリンダ液圧）を制動トルク（ホイールトルク）に変換するための比例係数K」で除して得られるタイヤ前後力Fxに相当するホイールシリンダ液圧（＝(Fx・R)/K、タイヤ前後力相当液圧Pwfx）の推定値である。以下、係る相違点を中心に説明する。
【００７２】
第１実施形態では、ホイールトルクTは、ホイールトルクセンサ４２から直接検出されていた。一方、第２実施形態では、「制動トルクはホイールシリンダ液圧とほぼ比例関係にある」ことを利用して、ホイールトルクTは、ホイールシリンダ液圧センサ４４から検出されるホイールシリンダ液圧Pwに上記比例係数Kを乗じることで取得される。
【００７３】
従って、上記(1)式に示した回転運動方程式は、下記(12)式に従って表すことができる。この(12)式の両辺を比例係数Kで除すると、下記(13)式が得られる。
【００７４】
I・dω/dt＝Tfx−Pw・K  ・・・(12)
(I/K)・dω/dt＝Pwfx−Pw  ・・・(13)
【００７５】
(13)式において、車輪の角加速度dω/dtは、上記第１実施形態と同様、車輪角速度センサ４１から得られる車輪の角速度ωを時間微分することで精度良く逐次取得できる。ホイールシリンダ液圧Pwは、ホイールシリンダ液圧センサ４４により精度良く逐次取得できる。慣性モーメントIとしては、上記第１実施形態と同様、実際に使用される車輪の諸元等から既知である慣性モーメント計算値Icが使用される。比例係数Kとしては、実際に使用されるブレーキパッドとブレーキディスクの間の摩擦係数の諸元等から既知である比例係数計算値Kcが使用される。
【００７６】
以上より、上記(13)式においてIをIcに置き換えKをKcに置き換えPwfxをPwfxcに置き換えた式をPwfxcについて解いた下記(14)式に従って、タイヤ前後力相当液圧推定値Pwfxcを逐次取得していくことができる。
【００７７】
Pwfxc＝Pw＋(Ic/Kc)・dω/dt  ・・・(14)
【００７８】
ところで、上述したように、慣性モーメント実際値Iは、タイヤ交換に伴うタイヤサイズの変更等により変化し得る。加えて、比例係数の実際値（以下、「比例係数実際値K」と称呼する。）は、ブレーキパッドの交換等により変化し得る。従って、タイヤ前後力相当液圧推定値Pwfxcの計算に使用される上記計算値(Ic/Kc)が実際値(I/K)と一致しなくなる場合が発生し得、この結果、タイヤ前後力相当液圧推定値Pwfxcが精度良く推定されない場合が発生し得るという問題がある。
【００７９】
そこで、第２実施形態は、以下のように、計算値(Ic/Kc)を実際値(I/K)と一致するように補正するための補正係数αを計算する。以下、この補正係数αの計算方法について図７を参照しながら説明する。
【００８０】
図７は、上述した図３と同じ状況における或る車輪についての、ホイールシリンダ液圧Pw、上記(14)式に従って計算されるタイヤ前後力相当液圧推定値Pwfxc、タイヤ前後力相当液圧の実際値（以下、「タイヤ前後力相当液圧実際値Pwfx」と称呼する。）、角速度ω、スリップ率S、角加速度dω/dtの変化の一例を示したタイムチャートである。図７における時刻ｔ１、ｔ２はそれぞれ、図３における時刻ｔ１、ｔ２に対応している。従って、この例でも、時刻ｔ２は、上述した「角加速度ゼロ時点」に相当している。
【００８１】
図７に示した例では、計算値（Ic/Kc）が実際値(I/K)からずれていて、この結果、タイヤ前後力相当液圧推定値Pwfxcがタイヤ前後力相当液圧実際値Pwfxからずれた値に計算されている場合が示されている。
【００８２】
なお、時刻ｔ２では、車輪の角加速度dω/dt＝０となっているから、上記(13)式、(14)から容易に理解できるように、時刻ｔ２において、タイヤ前後力相当液圧推定値Pwfxc、タイヤ前後力相当液圧実際値Pwfx、及びホイールシリンダ液圧Pwは一致する（点Ａを参照）。
【００８３】
また、図７に示した例でも、図３の場合と同様の理由により、「角加速度ゼロ時点(dω/dt＝０)となる時刻ｔ２においてタイヤ前後力相当液圧実際値Pwfxの時間微分値が「０」となる」という関係（即ち、上記角加速度−タイヤ前後力間の特定関係）が成立する。換言すれば、タイヤ前後力相当液圧実際値Pwfxの時刻ｔ２における傾きは「０」となる（図７を参照）。
【００８４】
従って、上記(13)式の両辺を時間微分して得られる下記(15)式は、時刻ｔ２において、タイヤ前後力相当液圧実際値Pwfxの時間微分値dPwfx/dt＝０と置くことで下記(16)にて表すことができる。(16)式において、(d2ω/dt2)t=t2は時刻ｔ２における角加速度dω/dtの時間微分値である。また、(dPw/dt)t=t2は時刻ｔ２におけるホイールシリンダ液圧Pwの時間微分値である。この時刻ｔ２におけるホイールシリンダ液圧の時間微分値(dPw/dt)t=t2を値ｍとおくと、下記(17)式が得られる。なお、この値ｍは、ホイールシリンダ液圧Pwの時刻ｔ２における傾きに対応する値である（図７を参照）。
【００８５】
(I/K)・d2ω/dt2＝dPwfx/dt−dPw/dt  ・・・(15)
(I/K)・(d2ω/dt2)t=t2＝−(dPw/dt)t=t2  ・・・(16)
(I/K)・(d2ω/dt2)t=t2＝−(dPw/dt)t=t2＝−ｍ  ・・・(17)
【００８６】
一方、上記(14)式の両辺を時間微分すると下記(18)式が得られるから、時刻ｔ２において、下記(19)式が得られる。(19)式において、(dPwfxc/dt)t=t2は時刻ｔ２におけるタイヤ前後力相当液圧推定値Pwfxcの時間微分値である。この時刻ｔ２におけるタイヤ前後力相当液圧推定値Pwfxcの時間微分値(dPwfxc/dt)t=t2を値ｎとおくと、下記(20)式が得られる。なお、この値ｎは、タイヤ前後力相当液圧推定値Pwfxcの時刻ｔ２における傾きに対応する値である（図７を参照）。
【００８７】
dPwfxc/dt＝dPw/dt＋(Ic/Kc)・d2ω/dt2  ・・・(18)
(dPwfxc/dt)t=t2＝(dPw/dt)t=t2＋(Ic/Kc)・(d2ω/dt2)
t=t2  ・・・(19)
(dPwfxc/dt)t=t2＝(dPw/dt)t=t2＋(Ic/Kc)・(d2ω/dt2)
t=t2＝ｎ  ・・・(20)
【００８８】
ここで、上記(17)式の関係を上記(20)式に代入して(d2ω/dt2)t=t2と(dPw/dt)t=t2とを消去するとともに、補正係数α＝(Kc/Ic)・(I/K)と定義すると、下記(21)式が得られる。この補正係数αを計算値(Ic/Kc)に乗じることで、計算値（Ic/Kc）を実際値(I/K)と一致するように補正することができる。
【００８９】
α＝(Kc/Ic)・(I/K)＝ｍ/(ｍ−ｎ)  ・・・(21)
【００９０】
以上のことから、第２実施形態は、車輪角速度センサ４１、及びホイールシリンダ液圧センサ４４の出力を利用しながら、角加速度ゼロ時点(角加速度dω/dtがゼロ以外からゼロになる時点)が到来するまでの間は、上記(14)式に従ってタイヤ前後力相当液圧推定値Pwfxcを計算する一方、角加速度ゼロ時点が到来した時点以降、上記(14)式において(Ic/Kc)をα・(Ic/Kc)に置き換えた式である下記(22)式に従ってタイヤ前後力相当液圧推定値Pwfxcを計算する。
【００９１】
Pwfxc＝Pw＋α・（Ic/Kc）・dω/dt  ・・・(22)
【００９２】
このように、第２実施形態は、上記「角加速度−タイヤ前後力間の特定関係」を利用して、上記角加速度ゼロ時点におけるホイールシリンダ液圧Pwの時間微分値ｍと、角加速度ゼロ時点におけるタイヤ前後力相当液圧推定値Pwfxcの時間微分値ｎとに基づいて（従って、補正係数αに基づいて）計算値（Ic/Kc）（前記慣性モーメントに係わる定数）を補正することでタイヤ前後力相当液圧推定値Pwfxcを補正する。このタイヤ前後力相当液圧推定値Pwfxcは、上述したアンチスキッド制御、トラクション制御等の各種制御に利用される。以上が、第２実施形態によるタイヤ前後力相当液圧推定値Pwfxcの取得・補正方法の概要である。
【００９３】
（第２実施形態の実際の作動）
次に、以上のように構成された第２実施形態の実際の作動について、電子制御装置５０のＣＰＵ５１が実行するルーチンをフローチャートにより示した図８〜図９を参照しながら説明する。この図８〜図９のルーチンは、図５〜図６において「T**」を「Pw**」に変更し、「Ic**」を「Ic**/Kc**」に変更した点を除いて、図５〜図６のルーチンと同じである。
【００９４】
即ち、図８のステップ８０５〜８５０はそれぞれ図５の５０５〜５５０に対応し、図９のステップ９０５〜９３５はそれぞれ図６の６０５〜６３５に対応している。従って、図８〜図９のルーチンについての詳細な説明は省略する。
【００９５】
以上、説明したように、本発明によるタイヤ前後力推定装置の第２実施形態によれば、上記「角加速度−タイヤ前後力間の特定関係」を利用して、「角加速度ゼロ時点」が到来する毎に、「角加速度ゼロ時点」におけるホイールシリンダ液圧Pwの時間微分値ｍと、「角加速度ゼロ時点」におけるタイヤ前後力相当液圧推定値Pwfxcの時間微分値ｎとから求めた補正係数α（上記(21)式を参照）により計算値(Ic/Kc)を補正することでタイヤ前後力相当液圧推定値Pwfxcを補正していく。
【００９６】
これにより、「角加速度ゼロ時点」が到来する毎に、計算値(Ic/Kc)を実際値(I/K)と一致するように補正することができる。なお、Ic，Kcを個別に、対応する実際値と一致するようにそれぞれ補正することはできない。この結果、第１実施形態と同様、タイヤ交換に伴うタイヤサイズの変更等、ブレーキパッドの交換等により実際値(I/K)が変化した場合であっても、タイヤ前後力を直接検出するセンサを用いることなく、タイヤ前後力Fxに相当するタイヤ前後力相当液圧推定値Pwfxcを精度良く計算していくことができる。
【００９７】
本発明は上記各実施形態に限定されることはなく、本発明の範囲内において種々の変形例を採用することができる。例えば、上記各実施形態においては、「角加速度ゼロ時点」が未だ到来していない状態（フラグＳＥＴ＝０）では、図５のステップ５２５（図８のステップ８２５）にてタイヤ前後力相当トルク推定値Tfxc（タイヤ前後力相当液圧推定値Pwfxc）が計算され、「角加速度ゼロ時点」が既に到来した状態（フラグＳＥＴ＝１）では、図５のステップ５５０（図８のステップ８５０）にてタイヤ前後力相当トルク推定値Tfxc（タイヤ前後力相当液圧推定値Pwfxc）が計算されるように構成されているが、「角加速度ゼロ時点」が既に到来しているか否かにかかわらず（フラグＳＥＴの値にかかわらず）、図５のステップ５５０（図８のステップ８５０）にてタイヤ前後力相当トルク推定値Tfxc（タイヤ前後力相当液圧推定値Pwfxc）が計算されてもよい。この場合、「角加速度ゼロ時点」が未だ到来していない状態（フラグＳＥＴ＝０）では、補正係数α＝１に設定される。
【００９８】
また、上記各実施形態においては、「角加速度ゼロ時点」の到来を、角加速度dω/dtの値が「「０」以外（前回値）から「０」（今回値）に変化したこと」で判定しているが、角加速度dω/dtの値が「「０」を通過したこと」で判定してもよい。この場合、具体的には、角加速度dω/dtの値が、「「正又は負」（前々回値）、「０」（前回値）、「負又は正」（今回値）と変化したこと」、或いは、「「正又は負」（前回値）から「負又は正」（今回値）に変化したこと」で判定できる。
【図面の簡単な説明】
【００９９】
【図１】本発明の第１実施形態に係るタイヤ前後力推定装置を含んだ車両の運動制御装置を搭載した車両の概略構成図である。
【図２】制動時において車輪に働く力、及びトルクを示した図である。
【図３】時刻ｔ１以降にてアンチスキッド制御が開始・実行されている場合における、或る車輪についての、ホイールトルク、タイヤ前後力相当トルク推定値、タイヤ前後力相当トルク実際値、車輪の角速度、車輪のスリップ率、車輪の角加速度の変化の一例を示したタイムチャートである。
【図４】車輪のスリップ率と路面摩擦係数との一般的な関係を示した図である。
【図５】図１に示したＣＰＵが実行するタイヤ前後力相当トルクを推定するためのルーチンを示したフローチャートである。
【図６】図１に示したＣＰＵが実行する補正係数の決定・更新を行うためのルーチンを示したフローチャートである。
【図７】図３と同じ状況における或る車輪についての、ホイールシリンダ液圧、タイヤ前後力相当液圧推定値、タイヤ前後力相当液圧実際値、車輪の角速度、車輪のスリップ率、車輪の角加速度の変化の一例を示したタイムチャートである。
【図８】本発明の第２実施形態に係るタイヤ前後力推定装置のＣＰＵが実行するタイヤ前後力相当液圧を推定するためのルーチンを示したフローチャートである。
【図９】本発明の第２実施形態に係るタイヤ前後力推定装置のＣＰＵが実行する補正係数の決定・更新を行うためのルーチンを示したフローチャートである。
【符号の説明】
【０１００】
１０…車両の運動制御装置、３０…ブレーキ液圧制御装置、４０…センサ部、４１**…車輪角速度センサ、４２**…ホイールトルクセンサ、４４**…ホイールシリンダ液圧センサ、５０…電子制御装置、５１…ＣＰＵ
【図１】
0004697430.tif 000002
【図２】
0004697430.tif 000003
【図３】
0004697430.tif 000004
【図４】
0004697430.tif 000005
【図５】
0004697430.tif 000006
【図６】
0004697430.tif 000007
【図７】
0004697430.tif 000008
【図８】
0004697430.tif 000009
【図９】
0004697430.tif 000010